(57)【要約】【課題】オキアミを餌とする海魚の釣りにおいて、オキアミの食い逃げを防止する。【解決手段】腰曲がり４又は軸３から略耳２方向に向けて、且つフトコロ８を含む平面に対して厚みを増す両方向に２本、吐出防止棘４３を設け、且つ、先曲がり５から略腰曲がり４方向に向けて、フトコロ８を含む平面に対して厚みを増す両方向に２本、吐出防止棘５４を設けた。【選択図】図１
2006223288.tif 000002
【特許請求の範囲】
【請求項１】
フトコロ８が１箇所の略しの字状の釣り針において、その腰曲がり４又は軸３から略耳２方向に向けて、且つフトコロ８を含む平面に対して厚みを増す両方向に、且つその位置の主幹（腰曲がり４−軸３）に対しての少なくとも部分的な交差角度が１０度から４０度の角度であって、且つその先端（尖端・末端）が少なくとも部分的に９０度以下の鋭角部を持つ吐出防止棘４３を２本、主幹への接合又は主幹の分岐で設け、且つ、該釣り針の先曲がり５から略腰曲がり４方向に向け、且つフトコロ８を含む平面に対して厚みを増す両方向に、且つその位置の主幹である湾曲部（先曲がり５−腰曲がり４）に対しての少なくとも部分的な交差角度が１０度から４０度の角度であって、且つその先端（尖端・末端）に少なくとも部分的に９０度以下の鋭角部を持つ吐出防止棘５４を２本、主幹への接合又は主幹の分岐で設けた事を特徴とする釣り針、その釣り針に釣り糸１０（編み糸１０ｂ・金属線１０ｃ等含む）を結合した仕掛け、仕掛けに針先７からオキアミを通し刺ししてから引き戻し、該オキアミの外殻２０ｐの内側から外側に該吐出防止棘４３の先端（尖端・末端）を部分的に突き出して取付けする使用方法
【請求項２】
フトコロ８が１箇所の略しの字状の釣り針において、請求項１と同じ吐出防止棘４３のみを２本設けた事を特徴とする釣り針、その仕掛け、仕掛けにオキアミを取付ける請求項１に記載の使用方法
【請求項３】
フトコロ８が１箇所の、略しの字状の釣り針において、請求項１と同じ吐出防止棘５４のみを２本設けた事を特徴とする釣り針、その仕掛け
【請求項４】
フトコロ８が１箇所の略しの字状の釣り針において、フトコロ８を含む平面に直交する方向に測定した場合に、対となる吐出防止棘４３、及び、又は、対となる吐出防止棘５４の先端（尖端・末端）間の距離Ｓが、主幹の該方向厚みＤの３倍以上である事を特徴とする請求項１，２，３に記載の釣り針、その仕掛け
【発明の詳細な説明】
【技術分野】
【０００１】本願発明は、沿岸及び沖合の一本釣り漁業等に使用される、海魚用のオキアミ餌での釣り針に関し、特にはオキアミ餌の食い逃げ防止対策をした釣り針、その仕掛け、オキアミの取付け・使用方法に関するものである。
【背景技術】
【０００２】従来から魚釣りに用いられている釣り針の各部名称について、主に非特許文献１及び非特許文献２を参考にして、図２を使用して説明する。以降、この図の向きを正面として解説・図示する。通常は釣り糸１０を結合する軸３（又は、茎・シャンク等）の端部に、耳２（又は、チモト・タタキ・アイ・カエシ等）と呼ばれる形状部があり、反対側には、針先７に向かっての約１８０度前後の曲がり（湾曲部・ベンド等）の内、スパンの約半分を分担する腰曲がり４（腰・腰曲げ等）、続いて残りの約半分の先曲がり５（先曲げ等）となり、最終的には、針先７（ポイント等）となる。先曲がり５と針先７間には、必要に応じてアゴ６（モドリ、カエリ、バーブ等）が、湾曲の内側、外側、或いは両側に設けられる。餌釣り用の釣り針の、耳２の主な形状には、フトコロ８側に面して平たく潰した広い面を持つ撞木・丸耳２ａ、潰しや除去加工でフトコロ８に面した比較的狭い面に通し穴を持つ穴サラエの耳２ｃ、フトコロ８に面して穴（略穴を含む）を持つ様に軸３端部を丸く曲げた管付（穴サラエ）の耳２ｄ等がある。アゴ６は、基本的にフトコロ８、或いは湾曲を含む平面内に設けられている。針先７と軸３間を、フトコロ８と呼び、水平距離が大きい場合はフトコロが広い、湾曲部との距離が大きい場合はフトコロが深いと呼ぶ。餌止めの為に、通常は軸３のフトコロ８と反対側に、ケン９を１箇所或いは２箇所設けている場合もある。基本的にケン９も先のフトコロを含む同一平面内に設けられているが、これは釣り糸を結合する場合に、釣り針１を保持する際手指に刺さらない位置としてあるからである。又、後述する文献例には、フトコロ８側や湾曲（先曲がり５−腰曲がり４間）の内側にもケン９を設けている例があり、これも該平面内である。図２の構成全体を釣り針１と呼び、以降単に釣り針と省略する。【０００３】
【非特許文献１】森秀人著「釣りの科学」講談社  １９８１年７月２０日第１刷  １９９４年６月  第２２刷  第６１頁  図２・９
【非特許文献２】中井戸嘉彦著「仕掛け教室」週間釣りサンデー社  １９８４年発行  第３２−３３頁
【０００４】海魚の餌釣りに使われる釣り針は、練り餌（団子餌等）を使うごく一部の対象魚以外では、フトコロ８は一箇所のものであり、その理由とオキアミ餌の場合の従来の取付け・使用方法は課題で詳述する。【０００５】フトコロ８が１箇所の釣り針であって、魚の掛かりを良くするための工夫を凝らしたと考えられ、参考となる従来技術の特許文献には以下のものがある。形状と効果で分類しているので、以降の一部には重複がある。【０００６】
【特許文献１】実公昭３４−０１０１８３号公報
【特許文献２】実公昭４４−０１６７００号公報
【特許文献３】実公昭４６−０３３１０４号公報
【特許文献４】実開昭５２−００５９７８号公報
【特許文献５】実公昭５３−０３６９４７号公報
【特許文献６】特開昭５７−１４４９２３号公報
【特許文献７】実開昭５８−１４６４６１号公報
【特許文献８】実開昭６１−１４８１７６号公報
【特許文献９】実開昭６３−０８５０７２号公報
【特許文献１０】実開昭６３−１７７１６０号公報
【特許文献１１】実開平０１−０７７３６７号公報
【特許文献１２】実開平０１−１０１３５８号公報
【特許文献１３】特開平０２−０４２９２７号公報
【特許文献１４】実開平０３−０６１８７１号公報
【特許文献１５】実開平０４−０１２８５８号公報
【特許文献１６】実用新案登録第３００１３５９号公報
【特許文献１７】特開平０６−３１５３３４号公報
【特許文献１８】特開平０６−３２７３７８号公報
【特許文献１９】特開平０６−３２７３７９号公報
【特許文献２０】実開平０７−０１４８６４号公報
【特許文献２１】特開平０７−０３１３３４号公報
【特許文献２２】実開平０７−０１８５５３号公報
【特許文献２３】実用新案登録第３０１９５１１号公報
【特許文献２４】特開平０７−３１３０１９号公報
【特許文献２５】特開平０８−０５１８９２号公報
【特許文献２６】特開平０８−０５６５３４号公報
【特許文献２７】特表平０９−５０８８０５号公報
【特許文献２８】特開２０００−３１２５４６号公報
【特許文献２９】特開２０００−３１６４２４号公報
【特許文献３０】特開２００１−０２８９６８号公報
【特許文献３１】特開２００１−０５４３４０号公報
【特許文献３２】特開２００１−１１２３７５号公報
【特許文献３３】特開２００１−１２８５９１号公報
【特許文献３４】特開２００１−１４５４３５号公報
【特許文献３５】特開２００１−２０４３００号公報
【特許文献３６】特開２００１−２５１９９４号公報
【特許文献３７】特開２００１−２９９１４８号公報
【特許文献３８】実用新案登録第３０７４９９１号公報
【特許文献３９】実用新案登録第３０８２５４８号公報
【特許文献４０】実用新案登録第３０８３８０２号公報
【特許文献４１】特開２００２−０００１２８号公報
【特許文献４２】特開２００２−１１９１７４号公報
【特許文献４３】実用新案登録第３０９８３８１号公報
【特許文献４４】特開２００２−２０９４７４号公報
【特許文献４５】特開２００４−０２４２１２号公報
【特許文献４６】意匠登録第１１６０９３７号公報
【特許文献４７】意匠登録第１１２９９７５号公報
【特許文献４８】意匠登録第１２２２７６９号公報
【特許文献４９】意匠登録第１１１２０２５号公報
【特許文献５０】意匠登録第１１１２０２４号公報
【特許文献５１】意匠登録第１１１１４９８号公報
【特許文献５２】意匠登録第０７９６０６０号公報
【特許文献５３】意匠登録第０９６７５４７号公報
【０００７】フトコロ８が２箇所以上で、オキアミを使用する一般的な餌釣りには使用出来ず、おもに練り餌使用や、ルアー・鮎釣り等を含む引っ掛け釣り用であるが、構成が参考となる文献には以下のものがある。【０００８】
【特許文献５４】実公昭０４−００７４４４号公報
【特許文献５５】実公昭１２−０１２７３１号公報
【特許文献５６】実公昭１３−００６０５１号公報
【特許文献５７】実公昭４９−０３３９１２号公報
【特許文献５８】実開昭５０−０５０７８０号公報
【特許文献５９】実開昭５０−０５６５８３号公報
【特許文献６０】実開昭５２−０９２５９１号公報
【特許文献６１】実開昭５４−１８０１９２号公報
【特許文献６２】特開昭５５−０５４８３８号公報
【特許文献６３】実開昭５８−１８２６７１号公報
【特許文献６４】実開昭５９−１５０２６５号公報
【特許文献６５】特開昭６０−００９４４０号公報
【特許文献６６】特開昭６０−１１８１３５号公報
【特許文献６７】特開昭６２−１２６９２６号公報
【特許文献６８】実開昭６３−０６６４７６号公報
【特許文献６９】実開昭６３−１５１７５６号公報
【特許文献７０】実開昭６３−１６５１６１号公報
【特許文献７１】実開平０１−１４９９５２号公報
【特許文献７２】実開平０４−０３３３６５号公報
【特許文献７３】特開平０４−１６９１４２号公報
【特許文献７４】特開平０４−２９９９３２号公報
【特許文献７５】実開平０５−０２１６５８号公報
【特許文献７６】実開平０５−０２３８６３号公報
【特許文献７７】実開平０６−００７４６８号公報
【特許文献７８】実開平０６−０５５３６６号公報
【特許文献７９】実用新案登録第３００３５５３号公報
【特許文献８０】実用新案登録第３００１４６４号公報
【特許文献８１】実開平０６−０３８５２１号公報
【特許文献８２】特開平０６−１９７６６８号公報
【特許文献８３】特開平０７−３２７５５０号公報
【特許文献８４】実用新案登録第３０５２９３３号公報
【特許文献８５】特開平１０−２９５２１９号公報
【特許文献８６】特開平１１−０７５６２１号公報
【特許文献８７】実用新案登録第３０５４３１８号公報
【特許文献８８】実用新案登録第３０５７１１４号公報
【特許文献８９】実用新案登録第３０５８００４号公報
【特許文献９０】特開２０００−２３２８３７号公報
【特許文献９１】特開２００１−０３７３７４号公報
【特許文献９２】特開２００２−３５４９６１号公報
【特許文献９３】特開２００３−１３４９６８号公報
【特許文献９４】特開２００３−２５９７６４号公報
【特許文献９５】特開２００４−０６５２３５号公報
【特許文献９６】特開２００４−０７３１５５号公報
【特許文献９７】意匠登録第１１０３７６１号公報
【特許文献９８】意匠登録第１０８６０５０号公報
【特許文献９９】意匠登録第１０５００７７号公報
【特許文献１００】意匠登録第１０８１１６９号公報
【特許文献１０１】意匠登録第１１１８０４０号公報
【特許文献１０２】意匠登録第１１０３７６１号公報
【特許文献１０３】意匠登録第０６３６８０２号公報
【特許文献１０４】意匠登録第０９１６９０１号公報
【特許文献１０５】意匠登録第０９６５００４号公報
【特許文献１０６】意匠登録第０９１１８０６号公報
【特許文献１０７】意匠登録第０８６５２１７号公報
【特許文献１０８】意匠登録第０８６５２１６号公報
【特許文献１０９】意匠登録第０８９０７０８号公報
【特許文献１１０】意匠登録第０８８５０９９号公報
【特許文献１１１】意匠登録第０８４９８０３号公報
【０００９】釣り餌の取付けにおいて通し性を向上させているもので、構造や取付けの発想が参考となる文献には以下のものがある。【００１０】
【特許文献１１２】実開平０２−０７３９６３号公報
【特許文献１１３】実開平０２−１２０１６３号公報
【特許文献１１４】実開平０７−００５３５６号公報
【特許文献１１５】実開平０７−０１１１６０号公報
【特許文献１１６】実開平０７−０２８３５４号公報
【特許文献１１７】実開平０７−０２８３５５号公報
【特許文献１１８】特開平０７−２１３２０５号公報
【特許文献１１９】特開平０７−３２７５６３号公報
【特許文献１２０】特開平０８−２５６６３９号公報
【特許文献１２１】特開平１１−００００８０号公報
【特許文献１２２】特開２０００−０４１５３２号公報
【特許文献１２３】特開２０００−０６０３５９号公報
【特許文献１２４】特開２００１−０２８９６８号公報
【特許文献１２５】特開２００４−２９８１６８号公報
【特許文献１２６】特開２００４−３３７０４１号公報
【特許文献１２７】意匠登録第１２００５４２号公報
【特許文献１２８】意匠登録第１０７７８９０号公報
【特許文献１２９】意匠登録第１０７７４６３号公報
【特許文献１３０】意匠登録第１１０９６２３号公報
【００１１】取り付けた釣餌のずれ・脱落防止の工夫を凝らしたと考えられ、参考となる特許文献には以下のものがある。【００１２】
【特許文献１３１】実公昭１１−０１７０４２号公報
【特許文献１３２】実公昭１７−００４５１１号公報
【特許文献１３３】実開昭４８−０２３５７６号公報
【特許文献１３４】実開昭４９−０１５０７８号公報
【特許文献１３５】実開昭４９−０８９２７９号公報
【特許文献１３６】実開昭５０−０２６０８３号公報
【特許文献１３７】実開昭５６−０２０４６８号公報
【特許文献１３８】実開昭５６−０７１１６５号公報
【特許文献１３９】実開昭５８−０５５４６７号公報
【特許文献１４０】実開平０４−００２２５９号公報
【特許文献１４１】実開平０４−０１２８５８号公報
【特許文献１４２】実開平０６−０３３４６５号公報
【特許文献１４３】実用新案登録第３００２１１４号公報
【特許文献１４４】実開平０７−０３００５２号公報
【特許文献１４５】実開平０７−０３６６６０号公報
【特許文献１４６】特開平０９−００９８３５号公報
【特許文献１４７】実用新案登録第３０３９６１９号公報
【特許文献１４８】特開平０９−２３３９７３号公報
【特許文献１４９】特開平１０−２０１３９８号公報
【特許文献１５０】特開平１０−２１５７３２号公報
【特許文献１５１】特開平１０−２１５７４１号公報
【特許文献１５２】特開平１１−０５６１７０号公報
【特許文献１５３】実用新案登録第３０５４３１８号公報
【特許文献１５４】実用新案登録第３０５７６３５号公報
【特許文献１５５】特開平１１−１６４６３６号公報
【特許文献１５６】特開平１１−２０６２７３号公報
【特許文献１５７】特開平１１−１５１０５４号公報
【特許文献１５８】特開２０００−０３２８７５号公報
【特許文献１５９】特開２００１−０４５９１８号公報
【特許文献１６０】特開２００３−０３３１２６号公報
【特許文献１６１】特開２００４−１２９６４５号公報
【特許文献１６２】特開２００４−２０１５５０号公報
【特許文献１６３】特開２００４−２９８１６８号公報
【特許文献１６４】特開２００４−３３７０４１号公報
【特許文献１６５】意匠登録第１２００５４２号公報
【特許文献１６６】意匠登録第１０７７４６３号公報
【特許文献１６７】意匠登録第１１０９６２３号公報
【特許文献１６８】意匠登録第１０２８８４６号公報
【特許文献１６９】意匠登録第０５５９２５８号公報
【特許文献１７０】意匠登録第０４９２２９５号公報
【特許文献１７１】意匠登録第１１８７２８０号公報
【特許文献１７２】意匠登録第１１９１０９８号公報
【特許文献１７３】意匠登録第１１９１０１０号公報
【特許文献１７４】意匠登録第１１８６０６１号公報
【特許文献１７５】意匠登録第１１８６０６０号公報
【特許文献１７６】意匠登録第０４５７５９５号公報
【特許文献１７７】意匠登録第０９７５２０７号公報
【特許文献１７８】意匠登録第０５６００２５号公報
【特許文献１７９】意匠登録第０５５７０９２号公報
【特許文献１８０】意匠登録第１２２３０８９号公報
【特許文献１８１】意匠登録第１０８８８８９号公報
【特許文献１８２】意匠登録第１１０１３２６号公報
【特許文献１８３】意匠登録第１１３６６９９号公報
【特許文献１８４】意匠登録第１１３６４７５号公報
【特許文献１８５】意匠登録第０９７０６９２号公報
【特許文献１８６】意匠登録第１１８９９７９号公報
【特許文献１８７】意匠登録第１１８９８８２号公報
【００１３】釣り針・釣り針仕掛けとしての吸い込みを向上させる事を工夫したと考えられ、参考となる特許文献には以下のものがある。【００１４】
【特許文献１８８】特開２０００−０４１５３２号公報
【特許文献１８９】特開２００１−３１４１３７号公報
【特許文献１９０】実用新案登録第３０９５８２７号公報
【特許文献１９１】特開２００３−１４４０１０号公報
【特許文献１９２】意匠登録第１２０４７６４号公報
【特許文献１９３】特開平０７−３２７５６２号公報
【００１５】餌止め用に設ける軸３の部分突起（いわゆる、ケン９とよばれるもの）の製法や、アゴ６の特殊な釣り針であって、参考となる特許文献には以下のものがある。【００１６】
【特許文献１９４】特公昭４８−０３５１１１号公報
【特許文献１９５】実用新案登録第３０７５５８２号公報
【００１７】釣り針の材質変更・形状工夫（断面特定）で強度等の利点を引き出す工夫をしたと考えられ、参考となる特許文献には以下のものがある。【００１８】
【特許文献１９６】実公昭２４−００９０２５号公報
【特許文献１９７】実公昭４８−０１９１１１号公報
【特許文献１９８】実開昭４９−００００７７号公報
【特許文献１９９】実開昭４９−０３７４６３号公報
【特許文献２００】実開昭５７−０７４２８１号公報
【特許文献２０１】実開昭５８−０５５４６７号公報
【特許文献２０２】特開昭５９−２３２０３８号公報
【特許文献２０３】実開昭６２−０６０１８０号公報
【特許文献２０４】実開昭６２−１７８８６９号公報
【特許文献２０５】実開平０１−１５５３５９号公報
【特許文献２０６】特開平０６−２６９２３６号公報
【特許文献２０７】特開２００１−１１２３７６号公報
【特許文献２０８】特開２００４−１２１２０４号公報
【特許文献２０９】特開２００４−１２９６４５号公報
【特許文献２１０】意匠登録第１０９６７５２号公報
【特許文献２１１】意匠登録第０３５２５４６号公報
【特許文献２１２】意匠登録第０３５１１７１号公報
【特許文献２１３】意匠登録第０９７３６８７号公報
【００１９】以上の先行技術文献情報の効果・形状分類の内、複合するものも多く、特に意匠については効果の記載が無い場合が多いので、発明者の独断によるマップである。【００２０】軸３に釣り糸１０を周回しない事で、結合部１５と耳２部でのオキアミの通し性を向上させ、その特殊なオキアミ直列取付け・使用方法を可能にした未公開の関連出願のうち、本願例にその構造を一部使用しなければならないものとしては、下記の文献がある。【００２１】
【関連（特許）文献１】
特願２００４−２２０９６０
【関連（特許）文献２】
特願２００４−３４３０７４
【００２２】図３に示すオキアミ２０は、プランクトン（浮遊生物）のひとつで、軟甲亜網オキアミ目オキアミ科の甲殻類であり、百科事典等によれば、全海洋に８０〜９０種類程度いる。海老等の十脚目とは異なり、鰓等が露出している等のより原始的な体構造である。ある程度の大きさがあり豊富に産する種類しか安価な釣り餌としての供給は出来ないので、主に南極海等で専用船にて採捕される大型・中型のものが、生のままかボイルされて、且つ冷凍されて釣り餌として供給されている。主な各部の名称は、下記の非特許文献３による。又、非特許文献４によると、長所は、集魚効果・柔らかく食い込みが良い・低比重・夜光性とあり、短所は、柔らかく遠投不可・餌落ちが早いとある。
【００２３】
【非特許文献３】豊田直之著「魚になめられてたまるか！」廣済堂出版  平成４年１１月２０日  初版、平成５年９月１０日５刷  Ｐ８１  図ＩＩ
【非特許文献４】つり人社編「海・川  釣りエサ百科」株式会社つり人社  １９８１年１２月１５日初版  １９８９年度版  Ｐ３８  オキアミの項
【００２４】釣り針と釣り糸を結合した、いわゆる仕掛けへのオキアミの取付け方については、非特許文献４及び下記の非特許文献５、非特許文献６等を参照し総合すると、一尾取り付けの場合は、前処理としてまず尻尾２０ｉ（２０ｈ・２０ｊ・２０ｋ等）を切り或いは千切り取り、図４の様にする。これを本願発明ではオキアミ２５とする。図５の様に、オキアミ２５の腹部がフトコロ８側になる様に、通し刺し、或いは縫い刺し（外殻の外に一回針先７を出してから、中に戻して通し刺し）すると、いわゆる腹掛けとなる。縫いの回数は複数でも良く、以下同じである。オキアミ２５の背側がフトコロ８側になる様に、図６の様に通し刺し、或いは縫い刺しした場合、いわゆる背掛けとなる。基本的な前処理である、尻尾２０ｉを除去する事は、一尾掛けの場合は仕掛けの回転を防止する為に必須であり、軸３部に平行に、出来るだけ真っ直ぐに取り付けるのも同様の理由である。先曲がり５から針先７までが露出している事で、用心深く臆病な対象魚について不利が有り、特別に湾曲に沿って取付ける場合もあるが、自然界では回転する餌は有り得ないので、仕掛けの回転を防止する事の方が重要と考えられる。
【００２５】
【非特許文献５】安部公夫・早川淳之助・巻幡成人共著「釣りの仕掛け」西東社  ２０００年３月１５日発行  Ｐ１９５
【非特許文献６】曽根勝雄・小日向巌・小田切圭司共著「船釣り」西東社  １９９０年５月１日発行
【００２６】仕掛けへのオキアミの別の取り付け方としては、餌を大きく見せてアピール性を高め、大型魚を釣る為の方法として、図７の抱き合わせ、図８の背合わせ、図９の房掛け、図１０の様に、結合部分に共縛りした切込みを細工した樹脂ハリス１６等に、オキアミを刺して追加取付けする等もあるが、本願発明では大きな関連はないので詳細は省略する。
【発明の開示】
【発明が解決しようとする課題】
【００２７】オキアミを釣り餌として使用する釣り針は、市販されているものでは、その殆どがフトコロ８は一箇所であり、どんなに巧緻な構造をとるものでも、フトコロ８が複数のものは普及していないが、これには沢山の理由が考えられる。
イ．オキアミは柔らかくくずれやすいので、例え同形の釣り針２本を重ねても、針先        ７が複数であれば、身や外殻が裂けて取り付けられない。又、複数の針先７は魚        の口腔への挿し込み抵抗を増大させるので、かえって掛かりが悪化する。
ロ．軸３が一体でも、２箇所或いは３箇所等のフトコロ８を持つ、いわゆるイカリ型        の釣り針では、その軸３を覆い隠すオキアミの通し刺し、或いは縫い刺しが物理        的に不可能であり、湾曲部に刺して取り付けする、いわゆるチョン掛けしか出来        ない。軸３部分が魚に見えているので、眼の良い魚や臆病な魚は近寄らない。
（基本的にこれらの釣り針は、攻撃的な大型魚食魚・イカ・鮎等用である。）
ハ．イカリ型の釣り針でも、練り餌（団子餌）等には、フトコロ８が複数で有る事自        体が、餌の保持性上メリットとなるが、練り餌で釣れる魚種は少ない。
ニ．拡開する釣り針例では、イ、ロ、ハの他、コストが非常に大きくなるとか、強度        上（材料応力上）、現行の一般材では達成不可能な構造・構成である。
等があげられる。【００２８】一般的に行われている、釣り針の掛かりを良くする方法としては、図１１の様に、軸３に対して先曲がり５−針先７間等を捻じる、いわゆるヒネリを入れて位相を変える事であり、フトコロ８或いは湾曲部を含む平面自体の厚みが増大し、その平面の片側からは針先７が突出しているので、魚の口腔内により刺さりやすくなると考えられる。ヒネリの角度は５〜２０度程度が多い。先行の技術文献としては、前述の文献の内、下記特許文献にこのヒネリをいれた例がある。しかし、ヒネリを入れた釣り針は、潮流が早い時・仕掛けを引き戻して誘いを入れる時・回収時に、前述した仕掛けや餌の回転を誘発するので、それを嫌う職漁者・遊漁者には敬遠され、普及はやはり一部に留まっている。又、軸３径が細い領域ではペンチ等の工具で捻じって、必要に応じて気に入った角度に自分で現場細工する人も多い。【００２９】
【特許文献２】前述済
【特許文献５】前述済
【特許文献３９】前述済
【特許文献４４】前述済
【特許文献５２】前述済
【特許文献５３】前述済
【００３０】オキアミを釣餌として使用する釣り針・仕掛けにおいて、餌を食い逃げされる次の要因としては、投入時（特に遠投時・中深海時）の餌ずれがあり、フトコロ８や針先７から離れた位置まで餌がずれると、端を咥えて引っ張る事で針掛かりせずに食い逃げする事が簡単に可能となる。この原因として、餌の通し性が悪くて釣り糸１０の結合部１５や耳２を越えてオキアミが通せない事とか、軸３部等での保持向上の工夫が足りない事が挙げられる。オキアミ餌の保持性に、特に請求項にて指定した釣り針・仕掛けは、従来技術の中には見つからないが、フトコロ８がひとつの釣り針であって、かなりオキアミの保持性が大きそうな釣り針には、前述の内下記の特許文献がある。【００３１】
【特許文献１３９】前述済
【特許文献１４１】前述済
【特許文献１６３】前述済
【特許文献１７７】前述済
【特許文献１７８】前述済
【特許文献１７９】前述済
【００３２】これらは、餌止め性能は高そうであるが、製作も難易度が高そうでコストパフォーマンスの課題をクリアしなければならない。【００３３】漁獲をよくするためには、魚が摂餌する際に発生する水流にのせて、魚の口腔に仕掛けをスムーズに送り込める様にした方が有利となると、下記の非特許文献に記載されている。【００３４】
【非特許文献１】前述済、第ＶＩ章  魚はどうして餌をたべるか  Ｐ２４１  共通する吸引活動
【００３５】この要素を重視する釣り針・仕掛けは、下記の特許文献に有り、吸い込みの水流を利用する事は重要であって、しかも前述と同じコスト課題をクリアしなければならない。しかし、これは仕掛け・餌の取り付け方法の改良まで含んでの対策であっても良い。【００３６】
【特許文献１８８】前述済
【特許文献１８９】前述済
【特許文献１９０】前述済
【特許文献１９２】前述済
【特許文献１９３】前述済
【００３７】フトコロ８がひとつの釣り針で、強度（応力）上最も問題になる部位は、腰曲がり４で、次が先曲がり５であり、いわゆる湾曲部である。この湾曲部の強度を向上する構造は、下記の特許文献に顕著であり、伸びや破損を防止して漁獲を確実にする為には考慮する事も重要である。【００３８】
【特許文献１９６】前述済
【特許文献１９７】前述済
【特許文献１９８】前述済
【特許文献２００】前述済
【特許文献２０３】前述済
【特許文献２０７】前述済
【特許文献２０８】前述済
【特許文献２１０】前述済
【特許文献２１１】前述済
【特許文献２１２】前述済
【００３９】魚がどの様に餌を食べるかで分類した例は、下記の文献に詳しく記載されている。【００４０】
【非特許文献１】前述済、第ＶＩ章  魚はどうして餌をたべるか  Ｐ２３６−２４１
【００４１】この分類は、概略以下の通りとされている。
吐出行動の鈍い魚（向こう合わせ型）
Ａ．追撃型・・・カツオ、マグロ、カジキ、ブラックバス等
Ｂ．貪食型・・・ブリ、サバ、アジ等
Ｅ．噛砕型・・・イシダイ等
吐出行動の敏感な魚（手前合わせ型）
Ｃ．吸引型・・・コイ、マブナ、ヤマベ、ヘラブナ等
Ｄ．緩食型・・・メジナ（標準和名、関西ではグレ）、クロダイ等
Ｆ．ヒット  アンド  アウェー型・・・ヤマメ、マス等【００４２】本願発明が解決しようとするのは、オキアミを釣餌として利用する海魚の釣りにおいて、餌の食い逃げを防止できる釣り針・仕掛け・使用方法であり、従って最も手ごわい対象魚は、手前合わせ型のＤタイプのメジナ・クロダイであり、これらの餌取り対策が出来れば良い。構造・形状・寸法にもよるが、このＤタイプの手前合わせの魚の食い逃げを防止できる釣り針・仕掛け・使用方法であれば、基本的に他の魚にも通じると考えられる。【００４３】以上のオキアミ餌の食い逃げに関する課題をまとめると、下記の様になる。
▲１▼掛かりが良くなる事（手段は問わない）。
▲２▼餌のずれ・脱落を防止する構造である事。
▲３▼餌の付いた仕掛け状態での吸い込みが良い事。
▲４▼強度上の問題を引き起こさない事。
▲５▼大きなコストアップを引き起こさない事。
▲６▼出来れば、従来の釣り針が改造可能である事（コスト引き下げの手段）。
▲７▼出来れば他のメリットもある事。
この内、▲１▼と▲２▼は必須であり、▲３▼−▲７▼は任意となる。
以上が、課題（開発の目的）となる。
【課題を解決するための手段】
【００４４】吸入時・餌取り時の仕掛けの姿勢を確認する為に、図１２の様な断面の、簡易な試験装置を製作して実験した。側面に透明な観察窓（図示しない）を設けてある。排出バルブ１００（ボールバルブ）を閉めて、導入バルブ１０１（ボールバルブ）を開放し、ポリタンク１１０内に水道水を７〜８分目まで満たしてから閉じる。透明な排出パイプ１０２の直前に、釣り糸１０ａを結んだ釣り針（仕掛け）を垂らし、排出バルブ１００を開いて水流を発生させると、下記の非特許文献１に解説されている様に、釣り針は針先７を先頭にして排出パイプ１０２に吸い込まれ、釣り糸１０ａの長さが適切であれば、針先７はパイプの内壁天井に接触し、図１３の様になる。この状態で、吸い込み流による釣り糸１０の張りを繊細なウキ等で感知し、釣り糸を急激に引き上げる合わせを行えば、確実に針掛かりさせられる。この為、湖沼や淡水の管理釣り場等で、前段落で解説したＣタイプの吸引型のヘラブナ等を釣る際には、ウキの感度と状態の観察力・判断が決め手となる。【００４５】
【非特許文献１】前述済  ＩＩ章  釣り道具の科学  釣り鉤の流体力学  Ｐ６９−Ｐ７１
【００４６】次に、少し釣り糸１０ａを送り込んで、排出パイプ１０２内に仕掛けを入れると、釣り針が接地する程度以下の水流の元では、図１４の様に、釣り針は横倒しになる。横倒しになる事は、最も安定した状態（姿勢）になるための力学的な現象であって必ず発生する。この状態を感度の良いウキ等で感知出来て、合わせを入れれば（急激に釣り糸１０を引き上げると）針掛かりさせられるが、海では観察を困難にする波がある事は常態なので、餌のオキアミを揉み食いされたり中身を吸出しされても、よく分からない場合が多い。釣りの名人級になると、どのような事象が吸い込みや摂餌に当たるのか判るので、この状態を現場で示して解説してくれるが、示されても判らないぐらい微妙な挙動である事も多い。【００４７】釣りの対象である硬骨魚類は、図１５に示す様に、その口の構造として上顎６６と下顎７７を持ち、合わせ目の蝶番８８（通称、ジゴク）部分に釣り針を掛けるのが、口切れ防止と締め込み（魚の引き）に対応するのに最も都合が良い。これは締め込み時に魚体が斜めに成りやすくて、その力が分散され、魚が全力を釣り糸１０に掛けきれない事で獲りやすいからであり、図１４の横倒しの状態から釣り糸１０ａを急激に引くと、軸３がリーディング側となりながらも完全に釣り針は立たず、ジゴクの上側に突き刺さりやすいので都合が良い。しかし、先の微妙な魚信に当たる挙動が読めないと、合わせ操作自体をしないので釣る事は出来ない。従って磯釣りでは、いわゆる、釣ると釣れるでは違うと言うのは、人間の感度・観察力・対応行動が随分と異なっているからである。【００４８】又、魚はポンプではないので、一旦餌や仕掛けの吸い込みが完了して食事に入ると、水流は緩くなるか止まる。従って、図１３の状態で針掛かりしないで吸い込まれたら、釣り針が口腔９９内で横に倒れることは常態であると考えなければならない。移動をしながら摂餌する魚は釣れ易いが、止まって注意深く捕食するＤタイプのメジナ（緩食型）が釣り難いのは、巧みに吸い込んで釣り針が刺さりにくい横倒しの状態で餌取りすると推察される。【００４９】吐き出し行動をシュミレイトする為に、排出バルブ１００を閉めると同時に導入バルブ１０１を開放する事で、排出パイプ１０２からタンク側に逆流する水流を起こし、釣り針仕掛けの挙動を観察すると、肉眼でみる限り、釣り針はピッチング・ローリング等を起こすこと無く、図１６の様に、ほぼそのままの姿勢で水流に乗って排出された。使用した水圧は、水道水利用の為、０・２〜０．３ＭＰａ程度である。【００５０】釣り針・仕掛けの挙動が判明したので、釣り針の腰曲がり４から略耳２方向に向けて、フトコロ８を含む平面に対して厚みを増す方向に、図１７の様に、直線的な吐出を防害する為の吐出防止棘４３を２本（両側）設けて、ウキを使用する磯釣り実験を行った。この２本は、ヒネリ付き釣り針の針先７と同じく、フトコロ８を含む平面からの突き出しとして機能する。説明の都合上、図においてはオキアミの描写を省略する。釣り針の主幹に対する吐出防止棘４３の角度は、オキアミの取付けの都合であまり大きく出来ず、軸３との交差角度で１０度から４０度とした。しかし、かなりの割合で、メジナはきれいにオキアミを食い逃げし、他の魚の多くは、うまく吐出が出来ずに向こう合わせで針掛かりした。【００５１】魚の口腔は、排出パイプ１２の様に単純な形状でも無く、又、吐出防止棘４３の尖端の口腔への接触で支持点が出来るが、強引に吐出しようとした場合、口腔内での支持点はひとつしかないので、図１８の円弧矢印向きにピッチングさせられると、針先７が口腔側壁に触れる事なく排出出来る。魚が掛かる場合は、この向きの回転がうまく出来ずに、針先７が刺さる方向へ回転していると推察出来た。図の実線は下顎７７側で、破線は上顎６６側である。そこで、この針先７が刺さらない方向にまわるピッチング回転を阻害し、オキアミの取付けは可能となる方向の吐出防止棘５４を、図１９の様に、先曲がり５から略腰曲がり４方向に向け、フトコロ８を含む平面に対して厚みを増す方向に２本（両側）追加した。魚の口腔９９内からみて、釣り針の底面図向きから見た模式図を、図２０に示す。下側の吐出防止棘２本が突っ張るので、接地している限り、その方向へは回転出来ない。実験の結果、メジナも簡単には餌取りできずに、ウキに魚信が出て針掛かりするか、同じくウキに魚信が出て、餌を残して吐出して逃げた。他の魚の多くは、吐出が出来ずに、向こう合わせで針掛かりした。【００５２】確認の為に、吐出防止棘４３は設けずに、図２１の様に、吐出防止棘５４のみを設けて実験してみると、かなりの割合で、メジナはきれいにオキアミを食い逃げして、他の魚の多くは、吐出が出来ずに向こう合わせで針掛かりした。これは、吐出防止棘４３のみの場合と同一であり、図２１の円弧方向矢印の方向へは回転可能である為、口腔内で器用に、針先７が内壁に当たらない位置で回転させて吐出するものと考えられる。【００５３】吐出防止棘４３と吐出防止棘５４の両方がある場合に、食い逃げ防止の有効性が高い理由については、それぞれの尖端箇所が口腔内壁下部に接触した場合には、図２２の様に、その尖端の２点によって、太い一点鎖線で示す固定線が作成され、釣り針のピッチング回転も直線的な吐出も防止され易く、吐き出し難さが格段に向上するからと考察される。【００５４】この２箇所の吐出防止棘群は、釣り針のフトコロ内にある重心を中心として、図２３の様な反時計回り回転は許容するが、時計回り回転は阻止出来る。この場合、反時計周り回転は、針先７が口腔内に刺さろうとする場合の方向と同一である。【００５５】前述した様に、掛かり時に釣り糸１０が引かれると軸３がリーディング側となり、釣り針は図１３の姿勢で口唇に掛かろうとするが、図２４の部分断面図に示す様に、２箇所の吐出防止棘群は、針先７が上顎側口唇６６６に刺さるのに邪魔にはならない位置としてある。【００５６】吐出防止棘４３と吐出防止棘５４の両方がある場合に、針掛かりするか、針掛かりしない場合でもウキ等に明確な魚信が出るのは、吐出が容易に出来ない事でメジナがパニックを起こしてしまい、吐出行動をしながらも下降して逃げようとするからと考察される。魚が仕掛けを口腔内に入れた状態で行動する（泳ぐ）ので、向こう合わせで掛かる率が向上する、或いはウキや釣竿等に魚信がはっきり出て合わせを入れやすい。【００５７】従って、本願発明の吐出防止棘４３と吐出防止棘５４は、吐出を妨害する事で、単独或いは組み合わせでも、摂餌後の多くの魚の行動を向こう合わせになるように変えている事になり、現行のいわゆる、釣る為の釣り針を、釣れる釣り針側に変えていると考えられる。【００５８】しかし、吐出防止棘４３及び吐出防止棘５４の、角度・伸長長さ・尖端の鋭さ・取り付け部位等を振って試験しても、メジナの針掛かり率が更に大きく改善されない（海況、ウキを含む仕掛けの感度、発明者の腕も関係している）ので、対象部位であるメジナの口腔を割断して調べて見ると、図２５に示す様に、口腔９９の前半部内壁に非常に硬い部分９９９が有り、図２６の様に、吐出防止棘４３及び吐出防止棘５４がその部分で食い込まずに滑ってしまい、吐出の妨害がうまくいかない場合がある事が推察出来た。【００５９】上記の結果から、更に針掛かり率を向上させるには、吸い込み性を向上させるオキアミの取付け方法を採ることで、口腔９９のより深くに仕掛けを吸い込ませ、吐出防止棘の有効性（吐出の妨害性）を高める事が必要である。関連（特許）文献１及び関連（特許）文献の、オキアミ直列取付けを可能とする結合用環状部３０と通常の耳２のある釣り針を組み合わせた実施例を、図２７及び図１に示す。【００６０】本願発明はオキアミの通し性を主眼とするものでは無いので、耳２及び近辺の軸３部の構造は、本願発明では特定されず、従ってその独特の直列多数取付けの請求、及び詳細の解説はしない。通し性に関するポイントは４点有り、軸３に釣り糸１０を周回せずに結合する部分（各図の結合用環状部３０）を設け、釣り糸１０の末端は腰曲がり４方向に向けず、オキアミを通す部分の断面積の急増を避けて、結合部１５では釣り糸１０を基本的に軸３に平行に結ぶことである。又、掛かり時の姿勢制御メカニズムの解析から、耳２の持っている、掛かりの瞬間に釣り糸１０の力を利用して釣り針の姿勢を支える機能は、そのまま維持しているのが独自の特徴である。【００６１】しかし、オキアミの取付けに関しては、直列取り付けでは無い場合を含めて、吐出防止棘４３に関して独自要素が大きいので、本願の請求項の中でも関係する項では指定する。【００６２】この関連特許文献に基づく構造を採った場合の、オキアミの取り付けの一実施例を図２８に示す。耳２部・結合部１５共にオキアミ２５で覆い隠せるので、用心深く臆病なメジナでも不用意に食いつかせる効果があり、更に直列に複数（数量上限無し）取り付ける事で、吸い込みの水流に乗りやすく、図２９の様に、餌の最も釣り糸１０側が、口唇６６６・７７７まで入った状態では、釣り針本体が口腔９９の奥まで入り込みやすい。又、前述の段落で述べた、大きな魚を釣る為に必要な大きな餌付けの原則にも合致している。従って、吐出防止棘群が口腔９９内に支持点を得れば、メジナであっても容易に吐出出来なくなる。実験の結果、メジナの魚信が更に明確になり、向こう合わせ・手前合わせで釣れる確率が非常に高くなった。釣り針が掛かる位置は、図３０に示す様に、蝶番８８の少し上になる場合が多かった。他の魚は、極端に口腔のサイズと釣り針のサイズが異ならない適切な範囲であれば、殆ど向こう合わせで釣れる様になり、オキアミを食べる魚である限りにおいて、漁獲が無い場合は殆ど無くなる程であった。これで、メジナにも対応できる、魚の吐出行動を効果的に妨害する事で、魚の行動自体を変化させて掛かりを向上させる釣り針が可能となった。【００６３】尚、他の海釣り餌（虫餌や身餌等）と異なり、オキアミは外殻も含めて柔らかく脆いので、魚が掛かって暴れる事で簡単で脱落しやすく、回収後の手返し（再度の餌付け）にも全く問題が無い事も特徴である。これは練り餌等以外では、オキアミ・アミ（サシアミ等）等だけが持つ特徴である。【００６４】本願発明での吐出防止棘４３に関係する、特別なオキアミの取り付け方について解説する。吐出防止棘４３部を越えて、オキアミ２５を耳２側に通した後、オキアミを腰曲がり４側に若干引き戻すと、オキアミの外殻のサイズと吐出防止棘４３の尖端間のスパンが適切であれば、図３１の様に、その尖端がオキアミ２５の外殻２０ｐを内側から破って、一部が突き出す様になる。こうすれば、オキアミの保持性が向上すると同時に、吐出防止棘４３の吐き出し妨害機能が、オキアミの外殻２０ｐに邪魔される事が無い。オキアミの腹節２０ｎ部のみを使用する場合でも同様である。他の魚ではここまでしなくでも、貪食である為にオキアミを口腔９９内で食べてから、吐出をしようとするが、メジナは餌取りが上手でも、本来特別に臆病で用心深い魚であって、異常を感じると即吐出を行うので、前述の実験の段落で述べた様に、オキアミの餌ごと強引に吐き出す場合も多いからである。この取付け方は、オキアミの保持性に関しては比類ない性能を持っており、実験の成果からのノウハウであるが、請求項３の吐出防止棘５４のみのタイプでは関係しない。【００６５】吐出防止棘５４に関しては、図３２の様に、オキアミの通し刺し後には尖端を露出させておく。これは、オキアミを軸３に対して真直ぐに取り付けて回転を防止する事が基本の為であるが、遠投時や中深海での釣りでは、先曲がり５方向へのオキアミのズレ・脱落を、吐出防止棘５４も確実に防止する。この取付け方を守れば、吐出防止棘５４は使用時にいつも露出しているので、吐出防止棘４３の場合にはあり得る、オキアミの中に尖端が埋没して機能を果たさない場合は無い。【００６６】オキアミの付いた仕掛け状態の、針先７側から見た図を図３３に、その断面積をあらわすハッチング図を図３４に示す。吐出防止棘４３が、オキアミの横幅をその部分で拡充するので、針先７側から見た投影面積は大きくなり、吸い込み性が向上する。又、吐出防止棘５４も露出している事で同様の効果があり、同じオキアミを取り付けた従来釣り針よりも、合わせ効果で明らかに吸い込み性能が向上する事がわかる。【００６７】吐出防止棘５４の取り付け位置については、図３５の様に、幅が大きく広がる立ち上がり部分は、先曲がり５の湾曲中央付近よりも若干腰曲がり４側の方が、オキアミを通し易かった。これは、先曲がり５の湾曲の中央部付近は曲率が最小となり、オキアミを通し刺しする上で最も抵抗が強い部分であるから、吐出防止棘５４の立ち上がりと重なると、オキアミが通しにくく崩れやすくなる為である。他の詳細は実施形態で説明する。【００６８】湾曲の上のアゴ６を設ける位置の側面に、アゴ６を移してサイドバーブとした例には、下記の特許文献があるが、その位置・目的が異なる為、吐出防止には役に立たない。この位置で、釣り針の時計廻り方向回転を有効に防止するには、図３６の様に、棘を設けることが考えられるが、この向きは、針先７の刺さりと餌付けを妨害する。該サイドバーブと同じ向きで反時計回り回転は防止できるので、吐出防止機能を果たしたとしても、吐出を有効に妨害する程に突き出し高さをあげたら、貫通性能自体が低下し、掛かりが悪化すると考えられる。更に吸い込み時にもその突き出し方向が悪くて邪魔になり易い。この為、先曲がり５−針先７間には設置が出来なかった。【００６９】
【特許文献１９５】前述済
【００７０】吐出防止棘４３と吐出防止棘５４を別材で取り付ける場合、魚が掛かって力が集中する位置に、剛性を上げる補強材を取り付けるのと同じなので強度向上に寄与出来、接合工程で問題を起こさなければ、完成品には強度上の問題は発生しない。この部分の強度を向上させる特許文献には、主に下記のものがある。【００７１】
【特許文献１９６】前述済
【特許文献１９７】前述済
【特許文献１９８】前述済
【特許文献２０７】前述済
【００７２】実験の過程で確認された現象として、口切れによる魚の釣り落とし、いわゆるバラシが低下した事が特筆される。通常、口の弱いアジ等では口唇が切れてしまう事が多いが、吐出がしにくい事でより奥で針掛かりし、口唇を切り裂いていく先曲がり５付近では、吐出防止棘５４のせいで幅が広がっている事が要因として考えられる。これと同じ機能を果たす為に、湾曲部の断面形状を工夫した特許文献には下記のものがある。【００７３】
【特許文献１９９】前述済
【特許文献２００】前述済
【特許文献２０３】前述済
【特許文献２０８】前述済
【発明の効果】
【００７４】発明の効果をまとめると、以下の様になる。
課題▲１▼に対して、
吐出防止棘４３、及び、又は吐出防止棘５４を設ける事で、仕掛けの吐出を妨害        して、魚の行動を変える事で掛かりを良く出来、多くの場合に向こう合わせで魚        が釣れる様になった事で、魚釣り自体が非常に楽に、且つ確実になった。
課題▲２▼に対して、
吐出防止棘４３、及び、又は吐出防止棘５４を設ける事で、オキアミのズレや脱        落を防止する機能が格段に高くなった。
課題▲３▼に対して、
吐出防止棘４３、及び、又は吐出防止棘５４を設ける事で、オキアミを取付けた        仕掛け状態での投影面積が増大し、魚が摂餌する際の水流に乗っての吸い込み性        能が向上した。
課題▲４▼に対して、
吐出防止棘４３、及び、又は吐出防止棘５４を接合で設ける事で、湾曲部（腰曲        がり４−先曲がり５間）の強度向上が達成出来、伸びや折損等を防止する事が出        来る様になった。
課題▲７▼に対して
その他の効果として、魚の釣り落とし（いわゆるバラシ）が格段に減少した。
課題▲５▼、▲６▼については、実施の形態部で説明する。
【発明を実施するための最良の形態】
【００７５】釣り針本体の製作については、特別の要素が無い部分については省略して、主に吐出防止棘４３・吐出防止棘５４に関わる基本的な部分とその注意点について詳述する。【００７６】吐出防止棘４３と吐出防止棘５４が、部分的にも侵入してはならない領域を解説する。【００７７】吐出防止棘５４については、針先７を右にした状態を正面図として書くと、図３７の二点鎖線でハッチングした領域は、釣り針の掛かりを妨害するので、例え先端部であっても侵入しないほうが良い。湾曲部からの非侵入領域２００の高さ（上）方向の目安のひとつは、アゴ６の位置であり、アゴ６が機能を果たす深さまで十分刺さると設計者が判断する位置に決めればよい。アゴ６の位置を上にするか、同じくアウトバーブにした位置をより上に持ってくれば、吐出防止棘５４の先端位置は若干上げられる。逆に、フトコロ８と反対側（図で、先曲がり５−腰曲がり４の下側）は、オキアミの通し性を阻害しない範囲で侵入可能である。【００７８】吐出防止棘４３についての非侵入領域３００は、釣り針の平面図である図３８において、同じく二点鎖線でハッチングをかけた部分で、上面から見て魚の上顎口唇６６６に相当する領域にあたり、これも掛かりを妨害するから避ける必要がある。製造上制御出来れば、釣り針のフトコロ８側には全く入らない方が好ましい。逆に、フトコロ８と反対側の領域（図３７で、軸３の左側）は、オキアミの通し性を阻害しない範囲で侵入可能である。【００７９】以上の２点を守る事で、釣り針の掛かり機能を阻害しない、吐出防止棘群の設置が達成出来る。【００８０】次に、吐出防止棘４３・吐出防止棘５４の釣り針本体（主幹）に対する交差角度Ｔ（半田付け・ロー付け等の肉盛りは含まない）は、図３９の底面図と図４０の左側面図で示す様に、全体的に１０度程度から４０度程度が適切で、オキアミの通し性を確保出来る事が条件である。全体が湾曲している場合は、その湾曲の接線方向で考えれば良くい。先端（末端・尖端側）は、この条件を満たさなくても、非侵入領域２００・３００とオキアミの通し性を満足すれば、例えば主幹に平行でもかまわないので、主幹に対して少なくとも部分的に先の角度を持つと規定する。釣り針本体のサイズ・対象魚等で、使用するオキアミの概略範囲を決めて、角度Ｔや湾曲の具合を設計すれば良い。吐出防止棘４３・吐出防止棘５４自体の尖端側を湾曲させて、立ち上がり部分側は角度を浅くした、図３９の実施例では、付け根の肉盛り付近は形がいびつで通し性があまり良くないから、それを補ってオキアミが通し易くなる。総幅を抑える為に、図４０の実施例では、立ち上がり部分は前述の角度として、先端側のみ湾曲させる事で角度を平行か、マイナス側まで浅くしている。接合で取り付ける場合では、接触面（界面）でロー付け・溶接する事で、肉盛りを付けずに設ける事が可能であるが、その場合、通し性を阻害しない様に、オキアミを挿し込む側の隅部の接触は良くする必要がある。【００８１】主幹から先端までの突き出し高さは、試験したメジナ用としては片側で最小主幹の太さ分は欲しいので、図４１の様に、対となる両側の吐出防止棘（５４，４３）間ピッチを総突き出し量Ｓとして、主幹の３倍程度以上は必要である。特に長さや高さが大きくなくても良い魚もいるので、釣り針の全体の大きさと対象魚、適用推奨するオキアミのサイズで決めれば良い。【００８２】まとめると、通し性は交差角度Ｔに反比例し、総突き出し量Ｓは交差角度Ｔに比例する。制限条件には釣り針の各部寸法が関係し、交差角度Ｔを小さくすると、必要な総突き出し量Ｓを得るのに長さを必要とする。従って、メリットとデメリット、魚種等を勘案して決める必要がある。実験の結果では、口腔９９内が硬い魚や吐出が上手な魚ほど、交差角度Ｔは大きめにする必要がある。【００８３】接合で取り付ける吐出防止棘４３・吐出防止棘５４部の線径は、円形断面の場合、主幹の直径の約７割（断面積で半分）から５割（断面積で１／４）程度で試験したが、主幹の太さが小さい領域では、もっと大きくても良いので請求項では規定しにくい。断面形状は、線材の入手或いはプレスでの成形加工が可能ならば、剛性や切り込み性に目的を絞った異形断面でもかまわない。主幹の断面形状は、湾曲部側面に平たい部分がある方が取付けし易く、フトコロ強度の向上も果たせるので、プレスで平打ちした方が好ましい。【００８４】接合品での先端（尖端・末端）の形状については、この部分で魚を捕らえるのでは無く、機能的に先端が魚の口腔９９の内壁に引っかかればよいので、図３９の様に、先端のみ尖っていても良く、先端のみ円錐を斜めに切り取って９０度以下の鋭角とした裁頭型円錐や、先端のみ斜めに切り取った円筒形状でも良い。先端を潰して平たくしたり、２又等の棘を沢山設けたりする工夫も有効である。図４０の様に、全体をテーパー状に鋭くすると、使用者の手指に深く刺さるのであまり好ましくないが、個々の対象魚でも変える必要がある。従って、先端部に９０度以下の鋭角部を部分的にでも持てば良いと規定する。【００８５】主幹が十分に太く出来、安全率を含む余裕がある場合には、アゴ６を成形するのと同じで、硬度を上げる工程よりも前に、図４２に示す様に、バイトで切り込んで起こす事も可能である。バイトの形状は、フラットよりも、曲面にして、棘側の断面積を大きく取れる方が好ましい。このアゴ６と同様の工法の場合、あまり長尺の吐出防止棘４３・吐出防止棘５４は難しく、又焼き入れ工程でのクラック発生等にも留意する。【００８６】吐出防止棘５４・４３の形状は、機能を果たしさえすれば良いので、規定した角度や先端形状内であればどんな形態を採ってもよく、例えば製造上の都合で、図４３の様に、左右の対称性が整わない場合でも全くかまわない。【００８７】接合で取り付ける吐出防止棘４３・吐出防止棘５４では、取り回しは基本的に２種、応用例で１種ある。最も簡易な取り回しは、図４４に示す様に、潰した脚部を半田付けで接合する。抵抗溶接等で仮止めしてから、半田付け・ロー付けすると、引き剥がしの強度が向上して好ましく、課題▲５▼に対して効果がある。【００８８】図４５の取り回しは、脚の曲げ方が図４４と逆向きのものであり、すわりが良いので、比較的位置決めがしやすい。脚部はプレスで潰して高さを出来るだけ抑える様にすると通し性が確保し易い。【００８９】図４６の取り回しは、図４４と図４５を一体化して、吐出防止棘４３・吐出防止棘５４を同時にハンドリング出来る様にしたもので、製造上も楽であり、湾曲部の強度向上も達成出来、全体的な断面積の差異が小さく出来る。抵抗溶接等で仮止めした後、半田付け・ロー付けすると良く、課題▲５▼に対して効果がある。【００９０】上記の３種の接合品共通で、オキアミの差込方向（針先７から耳２への方向）からの立ち上がり部分は、滑らかに繋ぎをする事が重要である。【００９１】大きな主幹・釣り針では、図４７の様に、表裏の（対となる）吐出防止棘の立ちあがり位置をずらして、斜に取り付けるとオキアミの通し性が確保しやすい。【００９２】抵抗溶接・半田付け等の温度と時間の積が小さい場合は、本体の全工程が終わってからの取り付け、或いは市販品への吐出防止棘４３・吐出防止棘５４の接合取付けが可能であり、金具と手間を抑える事でコストを抑える事が簡単に可能で、課題▲６▼の解決が出来る。【００９３】ロー付け等を使用して接合品質を上げる場合、焼き入れが出来なくなるので、本体材料の選定をバネ用の析出（時効）硬化合金等にかえればよく、時効硬化には真空炉・ガス雰囲気炉等を用いれば酸化が少なくて良い。【００９４】以上の、基本的な部分と注意事項を元に、各実施例図を請求範囲毎に分別する。図番が前述の分も改めて記述している。【００９５】請求項１に掛かる釣り針の実施例図は、図１、図２７、図３５、図３７、図３９、図４０、図４２、図４３、図４８、図４９、図５０、図５１、図５２である。【００９６】請求項２に掛かる釣り針の実施例図は、図１７、図３８、図５３、図５４、図５５、図５６、図５７、図５８である。【００９７】請求項３に掛かる釣り針の実施例図は、図５９、図６０、図６１、図６２、図６３である。【００９８】請求項４に掛かる釣り針の寸法説明図は、図４１である。【００９９】請求項１，２，３，４に掛かる釣り糸１０と結合した仕掛けの実施例については、通常の釣り糸（樹脂ハリス）１０ａと結合した、いわゆるハリス付き釣り針は常識であるから省略し、特殊なもののみ記載する。図６４の様な編み糸１０ｂを利用したものは、口唇に鋭い歯があって、釣り糸１０ａでは擦り切ってしまう魚、例えばクロメジナ（標準和名、地方名で尾長グレ・ワカナ等）等用で、末端の環１７に釣り糸１０ａを結合して使用するものである。編み糸１０ｂの末端を樹脂等で固めた部分１７ａは、この部分もオキアミの通し刺しをする為の工夫である。比較的短い編み糸１０ｂを付けて製造するものでも、結合時に手指を怪我しないメリットがある。図６５の様に、ワイヤー１０ｃを利用したものは、イシダイ・イシガキダイ等の噛砕型の魚用である。首振り結合部１５や末端の環１７は、硬いものと擦れるので、従来品と同じくワイヤーを二重にする。【０１００】請求項１，２に掛かる、オキアミを取り付ける使用方法の詳細は前述済である。【０１０１】釣り針単体で販売するものについては、結合時に吐出防止棘４３が釣り糸１０に傷を付けたり、手指に刺さるのを防止する為に、図６６の様に、尖端に樹脂や蝋等で保護カバー４００をつけると更に良い。仕掛けを作ってから、オキアミを取り付ける前に取り外す様にする。【０１０２】結合部１５・耳２部がオキアミを通す様にし、且つフトコロ８と反対側に結合用環状部３０が配されている図１等の釣り針の結合時は、図６７の様に掴むと安全である。右利きの場合、左手の、実線で示す人差し指６００と破線で示す親指７００で、図６７の様に軸３及び吐出防止棘４３を平たく挟むと、吐出防止棘４３が手指に刺さらないので、右手を使って、釣り糸１０をクリンチノット等の簡易な結びで結合すると良い。フトコロ８側に結合用環状部３０が配されている釣り針では、先と逆で、針先７（フトコロ８側）を上にして図６８の様に持つと良い。【０１０３】尚、釣り針単体での販売品については、吐出防止棘の突き出しで、従来の平たい樹脂製の袋状パッケージでは破れる場合や、吐出防止棘自体が変形する例が多く、図６９の様に、分装できる梱包材５００に入れて包装したほうが良い。
【図面の簡単な説明】
【０１０４】
【図１】本願発明の釣り針の１実施例の斜視図
【図２】フトコロ８がひとつの釣り針１の、各部名称を示す模式図
【図３】オキアミ２０（全体）の模式図
【図４】尻尾付近で切断して、オキアミ２５とした場合の模式図
【図５】オキアミ２５の従来の取付け方の模式図（腹掛け）
【図６】オキアミ２５の従来の取付け方の模式図（背掛け）
【図７】オキアミ２０・２５の従来の取付け方の模式図（抱き合わせ）
【図８】オキアミ２０・２５の従来の取付け方の模式図（背合わせ）
【図９】オキアミ２０・２５の従来の取付け方の模式図（房掛け）
【図１０】オキアミ２０・２５の従来の取付け方の模式図
【図１１】ヒネリを入れた釣り針の模式図
【図１２】簡易試験装置の部分断面図
【図１３】仕掛け吸い込み状態での、簡易試験装置の部分断面図
【図１４】仕掛け吸い込み状態での、簡易試験装置の部分断面図
【図１５】硬骨魚類の、上下顎付近の各部名称を示す模式図
【図１６】仕掛け吐き出し状態での、簡易試験装置の部分断面図
【図１７】吐出防止棘４３を取り付けた釣り針の斜視図
【図１８】魚が仕掛けを吸い込んだ状態の部分透視模式図
【図１９】魚が仕掛けを吸い込んだ状態の部分透視模式図
【図２０】口腔９９の内部から見た本願発明の釣り針の模式図
【図２１】魚が仕掛けを吸い込んだ状態の部分透視模式図
【図２２】上方から見た魚の下顎と本願発明の釣り針の模式図
【図２３】上方から見た魚の下顎と本願発明の釣り針の模式図
【図２４】側方から見た魚の上下顎等と本願発明の釣り針の模式図
【図２５】側方から見た魚の上下顎等と口腔９９内の硬い部分９９９を示す模式図
【図２６】魚の口腔９９近辺と本願発明の位置関係を示す模式図
【図２７】本願発明の釣り針の１実施例の斜視図
【図２８】結合部１５・耳２をオキアミで覆い隠した状態の仕掛けの模式図
【図２９】魚の口腔９９近辺とオキアミ付き仕掛けの位置関係を示す模式図
【図３０】本願発明の仕掛けに魚が掛かった状態を示す模式図
【図３１】本願発明のオキアミの取付け使用方法を示す模式図
【図３２】本願発明のオキアミの取付け使用方法を示す模式図
【図３３】本願発明のオキアミの取付け状態を示す模式図
【図３４】本願発明のオキアミの取付け状態の断面形状を示す模式図
【図３５】吐出防止棘５４の取付け立ち上がり位置の詳細を示す正面図
【図３６】先曲がり５−針先７間に棘を設ける場合の１例の正面図
【図３７】吐出防止棘５４の非侵入領域２００を示す模式図
【図３８】吐出防止棘４３の非侵入領域３００を示す模式図
【図３９】吐出防止棘５４の主幹（５，４）に対する角度Ｔを示す模式図
【図４０】吐出防止棘４３の主幹（４，３）に対する角度Ｔを示す模式図
【図４１】請求項４の総突き出し量Ｓを示す模式図
【図４２】切り込み起こし方式で設けた吐出防止棘５４・４３を示す斜視図
【図４３】本願発明の釣り針の１実施例を示す右側面斜視図
【図４４】本願発明の吐出防止棘５４・４３の接合例を示す断面図
【図４５】本願発明の吐出防止棘５４・４３の接合例を示す断面図
【図４６】本願発明の吐出防止棘５４・４３の接合例を示す断面図
【図４７】本願発明の吐出防止棘５４・４３の接合例を示す断面図
【図４８】本願発明の釣り針の１実施例の斜視図（請求項１）
【図４９】本願発明の釣り針の１実施例の斜視図（請求項１）
【図５０】本願発明の釣り針の１実施例の斜視図（請求項１）
【図５１】本願発明の釣り針の１実施例の斜視図（請求項１）
【図５２】本願発明の釣り針の１実施例の斜視図（請求項１）
【図５３】本願発明の釣り針の１実施例の斜視図（請求項２）
【図５４】本願発明の釣り針の１実施例の斜視図（請求項２）
【図５５】本願発明の釣り針の１実施例の斜視図（請求項２）
【図５６】本願発明の釣り針の１実施例の斜視図（請求項２）
【図５７】本願発明の釣り針の１実施例の斜視図（請求項２）
【図５８】本願発明の釣り針の１実施例の斜視図（請求項２）
【図５９】本願発明の釣り針の１実施例の斜視図（請求項３）
【図６０】本願発明の釣り針の１実施例の斜視図（請求項３）
【図６１】本願発明の釣り針の１実施例の斜視図（請求項３）
【図６２】本願発明の釣り針の１実施例の斜視図（請求項３）
【図６３】本願発明の釣り針の１実施例の斜視図（請求項３）
【図６４】本願発明の仕掛け１実施例の斜視図
【図６５】本願発明の仕掛け１実施例の斜視図
【図６６】吐出防止棘５４・４３に保護カバー４００を取り付けた例
【図６７】本願発明の釣り針の、釣り糸１０結合時の持ち方を示す模式図
【図６８】本願発明の釣り針の、釣り糸１０結合時の持ち方を示す模式図
【図６９】梱包例を示す斜視図
【符号の説明】
【０１０５】    １・・・釣り針        ２・・・耳（タタキ・チモト・カエシ・アイ等）
２ａ・・・撞木・丸耳          ２ｃ・・・穴サラエの耳
２ｄ・・・管付（尻曲がり）の耳
３・・・軸（茎・胴・シャンク等）
４・・・腰曲がり              ５・・・先曲がり
６・・・アゴ（モドシ・モドリ・カエリ・バーブ等）
７・・・針先（ポイント等）
８・・・フトコロ              ９・・・ケン（餌止め等）
１０・・・釣り糸（総合）    １０ａ・・・釣り糸（樹脂ハリス・モノフィラメント）
１０ｂ・・・釣り糸（編み糸）  １０ｃ・・・釣り糸（ワイヤー等）
１５・・・結合部            １５ａ・・・首振り結合部
１５ｂ・・・縒り合わせ部
１６・・・結合部に共縛りした切込み入り樹脂ハリス
１７・・・根付仕掛けの末端の環
１７ａ・・・根付糸の末端を樹脂で固めた部分
２０・・・オキアミ（全体）  ２０ａ・・・眼
２０ｂ・・・前頭部            ２０ｃ・・・頸溝
２０ｄ・・・鰓                ２０ｅ・・・頭胸甲
２０ｆ・・・頭胸部            ２０ｇ・・・第一腹節
２０ｈ・・・尾節              ２０ｉ・・・尻尾（使用時、除去部分）
２０ｊ・・・尾肢              ２０ｋ・・・肛門前棘（第六腹節）
２０ｍ・・・胸脚              ２０ｎ・・・腹節
２０ｐ・・・外殻
２５・・・前処理した頭胸部・胸脚等の付いたオキアミ
３０・・・結合用環状部（ループ構成に軸３、耳２等を利用するものを含む）
３５・・・半田付け・ロー付け・溶接部分（スポット含む）
４３・・・腰曲がり４、軸３側の吐出防止棘（略耳２方向）
５４・・・先曲がり５側の吐出防止棘（略腰曲がり４方向）
６６・・・魚の上顎          ６６６・・・上顎側口唇
７７・・・魚の下顎          ７７７・・・下顎側口唇
８８・・・顎部の蝶番部（通称ジゴク部分）
９９・・・魚の口腔          ９９９・・・口腔内の硬い部分
１００・・・試験装置の排出バルブ
１０１・・・試験装置の導入バルブ
１０２・・・試験装置の排出パイプ
１１０・・・試験装置のタンク
２００・・・吐出防止棘５４非侵入領域（フトコロ８深さ方向）
３００・・・吐出防止棘４３非侵入領域（フトコロ８水平方向）
４００・・・保護カバー
５００・・・梱包材
６００・・・人指し指
７００・・・親指
Ａ，Ｂ，Ｃ・・・位置記号、部分記号
Ｄ・・・軸３径（フトコロ８を含む平面に垂直（厚み）方向）
Ｓ・・・対となる吐出防止棘先端間の総突き出し量
Ｔ・・・各吐出防止棘の主幹（３、４、５等）部に対する交差角度
【図１】
2006223288.tif 000003
【図２】
2006223288.tif 000004
【図３】
2006223288.tif 000005
【図４】
2006223288.tif 000006
【図５】
2006223288.tif 000007
【図６】
2006223288.tif 000008
【図７】
2006223288.tif 000009
【図８】
2006223288.tif 000010
【図９】
2006223288.tif 000011
【図１０】
2006223288.tif 000012
【図１１】
2006223288.tif 000013
【図１２】
2006223288.tif 000014
【図１３】
2006223288.tif 000015
【図１４】
2006223288.tif 000016
【図１５】
2006223288.tif 000017
【図１６】
2006223288.tif 000018
【図１７】
2006223288.tif 000019
【図１８】
2006223288.tif 000020
【図１９】
2006223288.tif 000021
【図２０】
2006223288.tif 000022
【図２１】
2006223288.tif 000023
【図２２】
2006223288.tif 000024
【図２３】
2006223288.tif 000025
【図２４】
2006223288.tif 000026
【図２５】
2006223288.tif 000027
【図２６】
2006223288.tif 000028
【図２７】
2006223288.tif 000029
【図２８】
2006223288.tif 000030
【図２９】
2006223288.tif 000031
【図３０】
2006223288.tif 000032
【図３１】
2006223288.tif 000033
【図３２】
2006223288.tif 000034
【図３３】
2006223288.tif 000035
【図３４】
2006223288.tif 000036
【図３５】
2006223288.tif 000037
【図３６】
2006223288.tif 000038
【図３７】
2006223288.tif 000039
【図３８】
2006223288.tif 000040
【図３９】
2006223288.tif 000041
【図４０】
2006223288.tif 000042
【図４１】
2006223288.tif 000043
【図４２】
2006223288.tif 000044
【図４３】
2006223288.tif 000045
【図４４】
2006223288.tif 000046
【図４５】
2006223288.tif 000047
【図４６】
2006223288.tif 000048
【図４７】
2006223288.tif 000049
【図４８】
2006223288.tif 000050
【図４９】
2006223288.tif 000051
【図５０】
2006223288.tif 000052
【図５１】
2006223288.tif 000053
【図５２】
2006223288.tif 000054
【図５３】
2006223288.tif 000055
【図５４】
2006223288.tif 000056
【図５５】
2006223288.tif 000057
【図５６】
2006223288.tif 000058
【図５７】
2006223288.tif 000059
【図５８】
2006223288.tif 000060
【図５９】
2006223288.tif 000061
【図６０】
2006223288.tif 000062
【図６１】
2006223288.tif 000063
【図６２】
2006223288.tif 000064
【図６３】
2006223288.tif 000065
【図６４】
2006223288.tif 000066
【図６５】
2006223288.tif 000067
【図６６】
2006223288.tif 000068
【図６７】
2006223288.tif 000069
【図６８】
2006223288.tif 000070
【図６９】
2006223288.tif 000071